(57)【要約】      （修正有）【課題】簡単な構造で低コストで携帯が可能な美容ライトを提供する。【解決手段】主にケース１０内外に回路モジュール２０、発光モジュール４０、ライトカバー３０がそれぞれ設けられた、携帯式美容ライトであって、発光モジュール４０は、ライトカバー３０の内側に位置し、回路モジュール２０と電気的に接続される。回路モジュール２０には、ケース１０から露出するボタン１５及びケース１０の外側と連通する電源ポート１６が更に設けられ、ケース１０内には、回路モジュール２０と接続される電池５０が更に設けられる。【選択図】図２
0003201102.tif 000002
【実用新案登録請求の範囲】
【請求項１】
ケース蓋及びケース本体を有し、前記ケース蓋及び前記ケース本体内に収容空間が形成され、前記ケース蓋がライト用孔を有する、ケース；
前記ケース内に設けられ、前記ケースから露出するボタン及び前記ケースの外側と連通する電源ポートを備える、回路モジュール；
前記ケース蓋に設けられ、前記ケース蓋のライト用孔部分に位置する、ライトカバー；
前記ケース内に設けられ、前記ケース蓋の前記ライトカバーの内側に位置し、前記回路モジュールと電気的に接続される、発光モジュール；並びに
前記ケース内に設けられ、前記回路モジュールと電気的に接続される電池
を含む、携帯式美容ライト。
【請求項２】
前記ケース蓋の前記ライト用孔の縁に沿って複数の、孔が形成され、
前記ライトカバーの内側面に、内から外に向かって、複数の凹部、複数の内側設置孔、突縁、複数の外側設置孔がそれぞれ環状に設置され、
前記突縁を前記ライト用孔内に通して前記発光モジュールと熱接触させ、
各前記外側設置孔は前記ケース蓋の前記固定孔にそれぞれ対応する、請求項１に記載の携帯式美容ライト。
【請求項３】
前記発光モジュールは、複数の発光ダイオードが設けられるライトパネル及びアルミニウム基板を含み、
前記ライトパネルの前記複数の発光ダイオードは、前記回路モジュールと電気的に接続され、
前記ライトパネルの縁に、複数の突起が環状に設置され、
各前記突起は前記ライトカバーの各前記凹部内に係着され、
前記アルミニウム基板は、前記ライトパネルの前記複数の発光ダイオードに相対するもう１面と熱接触を構成し、その縁に複数の貫通孔が環状に設置され、
各前記貫通孔は前記ライトカバーの各前記内側設置孔にそれぞれ対応する、請求項２に記載の携帯式美容ライト。
【請求項４】
前記アルミニウム基板の前記ライトパネルに熱接触する表面に定位孔が設けられ、
前記ライトパネルの前記定位孔に対応する位置に、前記定位孔に貫設されるブロックが形成される、請求項３に記載の携帯式美容ライト。
【請求項５】
前記ケース内に、前記ケース蓋外に露出する表示モジュール及び電源パイロットランプが更に設置され、前記回路モジュールとそれぞれ電気的に接続される、請求項１〜４のいずれか１項に記載の携帯式美容ライト。
【請求項６】
前記ケース本体に開口部が形成され、前記開口部に電池カバーが設置される、請求項５に記載の携帯式美容ライト。
【請求項７】
前記発光モジュールに対応する前記ライトカバーのもう１つの側に、透光性カバーが設けられ、
前記透光性カバーは、前記複数の発光ダイオードの外側に覆設される、請求項６に記載の携帯式美容ライト。
【請求項８】
前記回路モジュールは光波長制御チップを含み、
前記光波長制御チップは、前記複数の発光ダイオードと電気的に接続される、請求項７に記載の携帯式美容ライト。
【考案の詳細な説明】
【技術分野】
【０００１】
本考案は美容ライトに関し、特に低コストで、携帯に便利な携帯式美容ライトである。
【背景技術】
【０００２】
アメリカ航空宇宙局のＷｈｅｌｅｎらは、２１世紀の初めから、指定波長を発することができる複数の発光ダイオードを利用して、糖尿病患者の傷口に照射すると、複数の指定波長光線を照射した後の傷口の酸素含有量が比較的高いことを見出し、これは複数の指定波長光線が微小血管の増殖速度を増加させ、傷口の癒合を促進する作用を有することを発表されている。従って、ある業者は発光ダイオードを皮膚に照射する機能を美容機器に応用し始め、複合型機能の光学美容機器を発売している。
【０００３】
現在、市場の一般的な光学美容機器は、その多くがレーザ又は超音波等を組み合わせて複合させた機能を有するため、価格が高い、操作が複雑である、体積が膨大である等の欠点が存在する。このような設備は一般的に、多くが大型の美容外科医院又は診療所にしか配置されておらず、一般の人が家庭に所有するのは困難であり、家庭で発光ダイオードによる皮膚の美容機能を使用できない。従って、既存の光学美容機器に対して更に改善を行う必要があり、小型化、低コスト、携帯して使用可能である目的を達成する。
【考案の概要】
【考案が解決しようとする課題】
【０００４】
本考案の主な目的は携帯式美容ライトを提供することであり、その構造は簡単で、電池を電力源として使用することを選択できるため、低コストで携帯が可能であるという特徴を有する。
【課題を解決するための手段】
【０００５】
上記考案の目的を達成するため、本考案が採用した主な技術手段は以下の通りである。上記携帯式美容ライトは：
ケース蓋及びケース本体を有し、上記ケース蓋及びケース本体の内部に収容空間が形成され、上記ケース蓋はライト用孔を有する、ケース；
上記ケース内に設けられ、上記ケースから露出するボタン及び上記ケースの外側と連通する電源ポートを備える、回路モジュール；
上記ケース蓋に設けられ、上記ケース蓋のライト用孔部分に位置する、ライトカバー；
上記ケース内に設けられ、上記ケース蓋のライトカバーの内側に位置し、上記回路モジュールと電気的に接続される、発光モジュール；並びに
上記ケース内に設けられ、上記回路モジュールと電気的に接続される、電池
を含む。
【考案の効果】
【０００６】
本考案の利点は次の通りである。小型化が可能な簡単な構造を有し、上記回路モジュール及び発光モジュールの電力源とすることができる独立した電池を有し、上記ボタンにより操作される。従って、低コスト及び携帯に便利な特徴を有する。
【図面の簡単な説明】
【０００７】
【図１】図１は、本考案の携帯式美容ライトの好ましい実施例の立体外観図である。
【図２】図２は、本考案の携帯式美容ライトの好ましい実施例の立体分解図である。
【図３】図３は、本考案の携帯式美容ライトの好ましい実施例の部分断面図である。
【図４】図４は、本考案の携帯式美容ライトの好ましい実施例の回路ブロック図である。
【考案を実施するための形態】
【０００８】
これより、図を組み合わせて、本考案の目的を達成するために講じた技術手段を更に詳しく述べる。
【０００９】
図１、図２を参照されたい。図１、図２は本考案の好ましい実施例であり、ケース１０、回路モジュール２０、ライトカバー３０、発光モジュール４０、電池５０を含む。
【００１０】
ケース１０はケース蓋１１及びケース本体１２を有し、ケース蓋１１及びケース本体１２内には、回路モジュール２０、発光モジュール４０、電池５０が収容される収容空間が形成される。ケース蓋１１はライト用孔１３を有し、ケース蓋１１のライト用孔１３の縁に沿って複数の固定孔１４が形成され、ライトカバー３０が固定される。ケース本体１２には開口部が形成され、開口部に電池カバー１７が設置される。
【００１１】
回路モジュール２０はケース１０内に設けられ、発光モジュール４０及び電池５０とそれぞれ電気的に接続される。本実施例では、回路モジュールにおいて、基板上に光波長制御チップ２１、ボタン１５、電源ポート１６が別個に設置される。光波長制御チップ２１は発光モジュール４０の出光波長範囲を制御し、ボタン１５はケース１０外に露出して、光波長の切換を制御し、電源ポート１６はケースの外側と連通して外部電源を利用できる。
【００１２】
ライトカバー３０はケース蓋１１の外側面に設けられ、そのライト用孔１３部分に位置する。ライトカバー３０の内側面に、内から外に向かって、複数の凹部３１、複数の内側設置孔３２、突縁３３、複数の外側設置孔３４がそれぞれ環状に設置される。突縁３３をライト用孔１３内に通して発光モジュール４０と熱接触させ、発光モジュール４０の放熱を助ける。各外側設置孔３４はケース蓋１１の固定孔１４にそれぞれ対応し、ライトカバー３０はネジでケース蓋１１の表面に固定設置される。発光モジュール４０に対応するライトカバー３０のもう１つの側には透光性カバー３５が設けられ、これは発光モジュール４０を保護する。これはいずれか１つの透明材料からなる。
【００１３】
発光モジュール４０はケース１０内に設けられ、ケース蓋１１のライトカバー３０の内側に位置し、回路モジュール２０と電気的に接続される。本実施例では、発光モジュール４０はケース蓋１１と回路モジュール２０との間に設けられる。図２、図３を参照されたい。図２、図３に示すように、発光モジュール４０はライトパネル４１及びアルミニウム基板４２を含み、ライトカバー３０に対応するライトパネル４１の表面に複数の発光ダイオード４１０が設けられる。本実施例では、複数の発光ダイオード４１０は回路モジュール２０の光波長制御チップ２１と電気的に接続される。ライトパネル４１の縁に複数の突起４１１が環状に設置され、各突起４１１はライトカバー３０の各凹部３１内に係着され、ライトパネル４１はライトカバー３０の内側に固定設置される。アルミニウム基板４２と、ライトパネルの複数の発光ダイオード４１０に相対するもう１つの面とが熱接触を構成し、その縁に複数の貫通孔４２１が環状に設置される。各貫通孔４２１はライトカバー３０の各内側設置孔３２にそれぞれ対応し、アルミニウム基板４２がライトカバー３０の内側に固定設置される。ライトパネル４１は、ライトカバー３０の内側面とアルミニウム基板４２との間に挟まれた状態で設置され、ライトカバー３０、ライトパネル４１、アルミニウム基板４２が互いに良好な熱接触を形成し、熱伝導及び放熱効果が強化され、本実施例において、製品全体の温度を摂氏４０度以内に効果的に制御できる。アルミニウム基板４２のライトパネル４１に熱接触する表面には定位孔４２２が設けられ、ライトパネル４１の定位孔４２２に対応する位置に、定位孔４２２に貫設されるブロック４１２が形成される。
【００１４】
電池５０はケース１０内に設けられ、本実施例では電池５０は回路モジュール２０とケース本体１２の電池カバー１７との間に設けられ、回路モジュール２０と電気的に接続される。図４を参照されたい。図４に示すように、電池５０は回路モジュール２０に電力を供給するか、又は電源ポート１６を経由して外部から電力を得て充電できる。電池５０はリチウムイオン電池又はリチウムポリマー電池であってよい。
【００１５】
本実施例では、ケース１０内に、ケース蓋１１外に露出する表示モジュール６０及び電源パイロットランプ７０が更に設置され、回路モジュール２０とそれぞれ電気的に接続される。本実施例では、表示モジュール６０は発光モジュール４０の現在の表示状態を表示し、電源パイロットランプ７０は電池５０及び回路モジュール２０の電気的接続のオンオフ状態を表示する。
【００１６】
本考案のこの好ましい実施例を使用する時には、ボタン１５を押すと、光波長制御チップ２１が、発光モジュール４０の複数の発光ダイオード４１０の出光波長を切り換え、皮膚に対する様々な作用及び治療効果を生じさせる。本実施例では、各発光ダイオード４１０の出力光の帯域は、波長が６６０ナノメートルの赤色光、波長が５９０ナノメートルの黄色光、波長が４１５ナノメートルの青色光、波長が８８０〜９４０ナノメートルの赤外光を含む。このうち、波長が６６０ナノメートルの赤色光は、皮膚の傷口の修復を加速させる作用を有する。波長が５９０ナノメートルの黄色光は、皮膚のコラーゲンの増殖を促進する作用を有する。波長が４１５ナノメートルの青色光は、皮膚の吹き出物の増殖を抑制する作用を有する。波長が８８０〜９４０ナノメートルの赤外光は、筋肉のだるさを緩和する作用を有する。ユーザのニーズに基づいて、例えば同時に４つの波長を出力する、又はいずれか２つの波長のみを出力する、といった発光モジュール４０の出光波長の組み合せの設定を調整できる。
【００１７】
以上のように、本考案は小型化が可能な簡単な構造を有し、回路モジュール２０及び発光モジュール４０の電力源とすることができる独立した電池５０を有し、ボタン１５により光波長制御チップ２１の制御を行い、複数の発光ダイオード４１０が出力する様々な波長の光を切り換える。従って、低コスト及び携帯に便利な特徴を有する。
【００１８】
以上の記載は本考案の好ましい実施例に過ぎず、本考案に対していかなる形式の制限も行わない。好ましい実施例により、本考案を既に上記のように開示したが、これは本考案を限定するものではない。いかなる当業者も、本考案の技術案から逸脱しない限りにおいて、上記に示した技術内容を利用して、若干の修正又は修飾を行い、均等変化した同等の実施例とすることができるが、これらはいずれも本考案の技術案の内容を逸脱しない。本考案の技術の本質に基づいて、上記実施例に対して行う簡単な修正、均等変化及び修飾は、いずれも本考案の技術案の範囲内に属する。
【符号の説明】
【００１９】
１０    ケース
１１    ケース蓋
１２    ケース本体
１３    ライト用孔
１４    固定孔
１５    ボタン
１６    電源ポート
１７    電池カバー
２０    回路モジュール
２１    光波長制御チップ
３０    ライトカバー
３１    凹部
３２    内側設置孔
３３    突縁
３４    外側設置孔
３５    透光性カバー
４０    発光モジュール
４１    ライトパネル
４１０  発光ダイオード
４１１  突起
４１２  ブロック
４２    アルミニウム基板
４２１  貫通孔
４２２  定位孔
５０    電池
６０    表示モジュール
７０    電源パイロットランプ
【図１】
0003201102.tif 000003
【図２】
0003201102.tif 000004
【図３】
0003201102.tif 000005
【図４】
0003201102.tif 000006